【手続補正書】
【提出日】平成29年8月4日(2017.8.4)
【手続補正１】
【補正対象書類名】特許請求の範囲
【補正対象項目名】全文
【補正方法】変更
【補正の内容】
【特許請求の範囲】
【請求項１】
プランジャ組立体（４００）と、取付部材（１１０）を有するバレル（１００）とを含む格納式シリンジ（１０００）用の格納式針組立体（２００）であって、
前記プランジャ組立体（４００）により係合可能であり、当接面（２１６１）を含む格納式針（２１０）と、
近位側に突出したスカート（２３２）を含み、前記バレル（１００）の前記取付部材（１１０）に取付け可能な針ハブ（２３０）と、
中央通路（２２７）を有するリテーナ（２２０）とを備え、
前記格納式針（２１０）が、前記リテーナ（２２０）の前記中央通路（２２７）内および前記針ハブ（２３０）内に少なくとも部分的に配置され、前記リテーナ（２２０）が、前記針ハブ（２３０）内に少なくとも部分的に配置され、前記リテーナ（２２０）が、本体（２２５）と、前記本体（２２５）から遠位側に延びる少なくとも１つの保持部材（２２１）とを含み、前記少なくとも１つの保持部材（２２１）が、内側に突出した側方突出部（２２４）を含み、前記本体（２２５）が、外側に突出した環状肩部（２２８）を含み、前記外側に突出した環状肩部（２２８）が、近位側に突出したスカート（２３２）の下に配置され、前記少なくとも１つの保持部材（２２１）は、前記格納式針（２１０）が意図せずに近位側へ移動するのを防止するように、前記格納式針（２１０）の前記当接面（２１６１）に解除可能に係合する、格納式針組立体（２００）。
【請求項２】
前記少なくとも１つの保持部材（２２１）が、前記環状肩部（２２８）から延びる、請求項１に記載の格納式針組立体（２００）。
【請求項３】
前記少なくとも１つの保持部材（２２１）が、突起（２２２）を含み、前記突起から前記側方突出部（２２４）が突出している、請求項１または２に記載の格納式針組立体（２００）。
【請求項４】
前記突起（２２２）または前記側方突出部（２２４）のうちの少なくとも１つが弾性である、請求項３に記載の格納式針組立体（２００）。
【請求項５】
前記リテーナ（２２０）が、少なくとも２つの保持部材（２２１Ａ、２２１Ｂ）を含む、請求項１〜４のいずれか一項に記載の格納式針組立体（２００）。
【請求項６】
各保持部材（２２１Ａ、２２１Ｂ）が、少なくとも１つの先端（２２３Ａ、２２３Ｂ）および少なくとも１つの側方突出部（２２４Ａ、２２４Ｂ）を有する、少なくとも１つの突起を含む、請求項１〜５のいずれか一項に記載の格納式針組立体（２００）。
【請求項７】
前記少なくとも１つの先端および／または前記少なくとも１つの側方突出部が、前記針ハブおよび前記格納式針のうちの少なくとも１つと係合するようになっている、請求項６に記載の格納式針組立体（２００）。
【請求項８】
前記近位側に突出したスカート（２３２）が、ねじ切りされた周面を有する、請求項１に記載の格納式針組立体（２００）。
【請求項９】
前記格納式針（２１０）の近位端が、前記プランジャ組立体（４００）のプランジャシール（４３０）と相補的な連結部材（２１３）を含む、請求項１〜８のいずれか一項に記載の格納式針組立体（２００）。
【請求項１０】
前記針ハブ（２３０）が、少なくとも１つの凹部（２３７）を含み、前記少なくとも１つの先端（２２３Ａ、２２３Ｂ）が、前記少なくとも１つの凹部（２３７）内に配置される、請求項１に記載の格納式針組立体（２００）。
【請求項１１】
請求項１〜１０のいずれか一項に記載の格納式針組立体（２００）と、プランジャ組立体（４００）と、遠位端（１０１）に取付部材（１１０）を有するバレル（１００）とを備える格納式シリンジであって、前記プランジャ組立体（４００）が、前記バレル（１００）内に少なくとも部分的に配置されて前記バレル（１００）の近位端（１０４）から作動可能であり、前記格納式針組立体（２００）が、前記取付部材（１１０）に結合される、格納式シリンジ。
【請求項１２】
前記針ハブ（２３０）および前記取付部材（１１０）が、相補的な取付構造を含む、請求項１１に記載の格納式シリンジ。
【請求項１３】
前記プランジャ組立体（４００）が、プランジャシール（４３０）と、前記バレル（１００）の近位端（１０４）から作動可能な作動ボタン（４４３）と、付勢された付勢部品（４５０）とを含み、前記プランジャシール（４３０）および前記格納式針（２１０）の近位端が、相補的に連結する構造を含むことによって、前記作動ボタン（４４３）が押下されたときに前記格納式針（２１０）が前記プランジャシール（４３０）により係合され、前記付勢部品（４５０）が付勢解除されたときに前記格納式針（２１０）が格納される、請求項１１または１２に記載の格納式シリンジ。
【請求項１４】
バレル（１００）、プランジャ組立体（４００）、および、請求項１〜１０のいずれか一項に記載の複数の格納式針組立体（２００）を備える、格納式シリンジキット（９０）。
【請求項１５】
請求項１〜１０のいずれか一項に記載の格納式針組立体（２００）を、格納式シリンジのバレル（１００）に着脱自在に取り付けるステップを含む、格納式シリンジを動作させる方法。
【手続補正２】
【補正対象書類名】明細書
【補正対象項目名】００７４
【補正方法】変更
【補正の内容】
【００７４】
[0092]本発明を実施するための、本発明者らが知る最良の形態を含む、本発明の好ましい実施形態が本明細書で説明される。前述の説明を読めば、これらの好ましい実施形態の変形が、当業者には明らかになるであろう。本発明者らは、当業者がこのような変形を必要に応じて採用することを予期しており、本発明者らは、本発明が本明細書に具体的に記載されている以外の方法で実施されることを意図している。したがって、本発明は、適用法によって認められるように、本明細書に添付された特許請求の範囲に列挙された主題の、全ての修正および等価物を含む。さらに、全ての可能な変形における、上述した要素の任意の組み合わせは、本明細書で特に示されるか、または文脈で明確に否定されない限り、本発明に含まれる。
例えば、本発明は以下の項目を提供する。
（項目１）
プランジャ組立体（４００）と、取付部材（１１０）を有するバレル（１００）とを含む格納式シリンジ（１０００）の針組立体（２００）用のリテーナ（２２０）であって、前記針組立体（２００）が、格納を容易にするために前記プランジャ組立体（４００）により係合可能な格納式針（２１０）と、前記バレル（１００）の前記取付部材（１１０）に取付け可能な針ハブ（２３０）と、前記リテーナ（２２０）とを含み、前記リテーナ（２２０）が、本体（２２５）と、前記本体（２２５）から遠位側に延びる少なくとも１つの保持部材（２２１）とを備え、前記少なくとも１つの保持部材（２２１）が、前記格納式針（２１０）と係合するように内側に突出した側方突出部（２２４）を含むことによって、格納前に前記格納式針（２１０）が意図せずに近位側へ移動するのを防止する、リテーナ（２２０）。
（項目２）
前記本体（２２５）が、外側に突出した環状肩部（２２８）をさらに含み、前記少なくとも１つの保持部材（２２１）が、前記環状肩部（２２８）から延びる、項目１に記載のリテーナ（２２０）。
（項目３）
前記格納式針（２１０）を受けるようになっている中央通路（２２７）をさらに含む、項目１に記載のリテーナ（２２０）。
（項目４）
前記少なくとも１つの保持部材（２２１）が、突起（２２２）を含み、前記突起から前記側方突出部（２２４）が突出している、項目１に記載のリテーナ（２２０）。
（項目５）
前記突起（２２２）または前記側方突出部（２２４）のうちの少なくとも１つが弾性である、項目４に記載のリテーナ（２２０）。
（項目６）
少なくとも２つの保持部材（２２１Ａ、２２１Ｂ）を含む、項目１に記載のリテーナ（２２０）。
（項目７）
各保持部材（２２１Ａ、２２１Ｂ）が、少なくとも１つの先端（２２３Ａ、２２３Ｂ）および少なくとも１つの側方突出部（２２４Ａ、２２４Ｂ）を有する、少なくとも１つの突起を含む、項目１に記載のリテーナ（２２０）。
（項目８）
前記少なくとも１つの先端および／または前記少なくとも１つの側方突出部が、前記針ハブおよび前記格納式針のうちの少なくとも１つと係合するようになっている、項目７に記載のリテーナ（２２０）。
（項目９）
プランジャ組立体（４００）と、取付部材（１１０）を有するバレル（１００）とを含む格納式シリンジ（１０００）用の格納式針組立体（２００）において、前記プランジャ組立体（４００）により係合可能な格納式針（２１０）と、前記バレル（１００）の前記取付部材（１１０）に取付け可能な針ハブ（２３０）と、項目１〜８のいずれか一項に記載のリテーナ（２２０）とを備え、前記少なくとも１つの保持部材（２２１）が、前記格納式針（２１０）と係合することによって、前記格納式針（２１０）が意図せずに近位側へ移動するのを防止する、格納式針組立体（２００）。
（項目１０）
前記針ハブ（２３０）が、ルアー取付具を含む、項目９に記載の格納式針組立体（２００）。
（項目１１）
前記ルアー取付具が、円錐形かまたは先細のルアーを備える、項目１０に記載の格納式針組立体（２００）。
（項目１２）
前記リテーナ（２２０）の前記本体（２２５）が、外側に突出した環状肩部（２２８）を含み、前記針ハブ（２３０）が、近位側に突出したスカート（２３２）を含み、前記外側に突出した環状肩部（２２８）が、前記近位側に突出したスカートの下に配置される、項目９に記載の格納式針組立体（２００）。
（項目１３）
前記格納式針（２１０）が、前記リテーナ（２２０）および前記針ハブ（２３０）内に少なくとも部分的に配置され、前記リテーナ（２２０）が、前記針ハブ（２３０）内に少なくとも部分的に配置される、項目９に記載の格納式針組立体（２００）。
（項目１４）
前記針ハブ（２３０）が、ねじ切りされた周面を有する近位側に突出したスカート（２３２）を含む、項目１３に記載の格納式針組立体（２００）。
（項目１５）
前記格納式針（２１０）の近位端が、前記プランジャ組立体（４００）のプランジャシール（４３０）と相補的な連結部材（２１３）を含む、項目９に記載の格納式針組立体（２００）。
（項目１６）
各保持部材（２２１Ａ、２２１Ｂ）が、少なくとも１つの先端（２２３Ａ、２２３Ｂ）および少なくとも１つの側方突出部（２２４Ａ、２２４Ｂ）を有する少なくとも１つの突起を含み、前記針ハブ（２３０）が、少なくとも１つの凹部（２３７）を含み、前記少なくとも１つの先端（２２３Ａ、２２３Ｂ）が、前記少なくとも１つの凹部（２３７）内に配置される、項目９に記載の格納式針組立体（２００）。
（項目１７）
項目９による格納式針組立体（２００）と、プランジャ組立体（４００）と、遠位端（１０１）に取付部材（１１０）を有するバレル（１００）とを備える格納式シリンジであって、前記プランジャ組立体（４００）が、前記バレル（１００）内に少なくとも部分的に配置されて前記バレル（１００）の近位端（１０４）から作動可能であり、前記格納式針組立体（２００）が、前記取付部材（１１０）に結合される、格納式シリンジ。
（項目１８）
前記針ハブ（２３０）および前記取付部材（１１０）が、相補的な取付構造を含む、項目１７に記載の格納式シリンジ。
（項目１９）
前記リテーナ（２２０）の前記本体（２２５）が、外側に突出した環状肩部（２２８）を含み、前記針ハブ（２３０）が、近位側に突出したスカート（２３２）を含み、前記外側に突出した環状肩部（２２８）が、前記近位側に突出したスカート（２３２）と、前記取付部材（１１０）の遠位端との間に配置される、項目１７に記載の格納式シリンジ。
（項目２０）
前記格納式針（２１０）が、前記リテーナ（２２０）および前記針ハブ（２３０）内に少なくとも部分的に配置され、前記リテーナ（２２０）が、前記針ハブ（２３０）内に少なくとも部分的に配置される、項目１７に記載の格納式シリンジ。
（項目２１）
前記プランジャ組立体（４００）が、プランジャシール（４３０）と、前記バレル（１００）の近位端（１０４）から作動可能な作動ボタン（４４３）と、付勢された付勢部品（４５０）とを含み、前記プランジャシール（４３０）および前記格納式針（２１０）の近位端が、相補的に連結する構造を含むことによって、前記作動ボタン（４４３）が押下されたときに前記格納式針（２１０）が前記プランジャシール（４３０）により係合され、前記付勢部品（４５０）が付勢解除されたときに前記格納式針（２１０）が格納される、項目１７に記載の格納式シリンジ。
（項目２２）
各保持部材（２２１Ａ、２２１Ｂ）が、少なくとも１つの先端（２２３Ａ、２２３Ｂ）および少なくとも１つの側方突出部（２２４Ａ、２２４Ｂ）を有する少なくとも１つの突起を含み、前記針ハブ（２３０）が、少なくとも１つの凹部（２３７）を含み、前記少なくとも１つの先端（２２３Ａ、２２３Ｂ）が、前記少なくとも１つの凹部（２３７）内に配置される、項目１７に記載の格納式シリンジ。
（項目２３）
バレル（１００）、プランジャ組立体（４００）、および、項目９〜１６のいずれか一項に記載の複数の格納式針組立体（２００）を備える、格納式シリンジキット（９０）。
（項目２４）
バイアルアダプタ（２０００）をさらに含む、項目２３に記載の格納式シリンジキット（９０）。
（項目２５）
前記バイアルアダプタ（２０００）が、基部（２１１０）を有するハウジング（２１００）と、前記基部（２１１０）から延びるかまたは突出しているアダプタカニューレ（２３００）と、バイアル（３０００）および前記格納式シリンジの前記バレル（１００）の流動性内容物と流体連通可能なコネクタ（２１２０）とを含み、前記アダプタハウジング（２１００）が、前記アダプタカニューレ（２３００）による意図しない針刺し事故から使用者を守るためのシュラウド（２２００）をさらに含み、前記シュラウド（２２００）が、バイアル栓（３１００）と係合する１つ以上の腕部（２１４０Ａ、２１４０Ｂ）を含む、項目２４に記載の格納式シリンジキット（９０）。
（項目２６）
前記シュラウドが、様々な異なるサイズのバイアル栓と前記バイアルアダプタが係合できるようにするための、１つ以上の屈曲腕部をさらに含む、項目２５に記載の格納式シリンジキット（９０）。
（項目２７）
前記バイアルアダプタ（２０００）が、前記アダプタカニューレ（２３００）と流体連通して前記コネクタ（２１２０）に取付け可能であるか、または取り付けられている導管先端（２５００）をさらに含み、前記導管先端（２５００）が、流体移送中にシリンジ格納機構の意図しない動作を防止する、項目２３に記載の格納式シリンジキット（９０）。
（項目２８）
項目９〜１６のいずれか一項に記載の格納式針組立体（２００）を、格納式シリンジのバレル（１００）に着脱自在に取り付けるステップを含む、格納式シリンジを動作させる方法。
（項目２９）
バイアルアダプタ（２０００）を前記格納式シリンジの取付部材（１１０）およびバイアル（３０００）に連結するステップと、前記格納式シリンジの内容物を再構成するステップと、前記バイアルアダプタ（２０００）を前記取付部材（１１０）から分離するステップと、その後に前記格納式針組立体（２００）を前記格納式シリンジに取り付けるステップとをさらに含む、項目２８に記載の方法。